(57)【要約】【課題】本発明は、録画又は再生中に不要と判断した時点でそのコンテンツ情報を簡単な操作で消去又は消去のための制御を行うことで、不要なコンテンツ情報をできるだけ記録媒体に蓄積せずに記録媒体のメモリ容量を無駄にすることがなく、記録媒体を効率よく利用できる録画再生装置を提供することを目的とするものである。【解決手段】録画処理中に停止キーが操作されたことを検知すると（Ｓ１０２）、録画動作を停止し（Ｓ１０３）、タイマーを動作させて（Ｓ１０４）所定時間（ｔ２）内に再度停止キーが操作されたか検知し（Ｓ１０５）、所定時間（ｔ２）内に再度停止キーが操作された場合には、ファイル整理がオンに設定されているか否かチェックして（Ｓ１０９）、自動的に録画ファイルの消去処理を行うようにする（Ｓ１１２）。【選択図】        図２
2004356882.tif 000002
【特許請求の範囲】
【請求項１】
コンテンツ情報を記録媒体に録画するための録画手段と、記録媒体に録画されたコンテンツ情報を再生するための再生手段と、録画手段又は再生手段の動作停止が操作されたことを検知する検知手段と、検知手段が動作停止の操作を検知してから所定時間内に所定のキーが操作されたことを検知手段が検知したか否か判別する判別手段と、判別手段が検知ありと判別したことに基づいて録画又は再生動作を停止したコンテンツ情報を記録媒体から消去する消去手段とを備えていることを特徴とする録画再生装置。
【請求項２】
コンテンツ情報を記録媒体に録画するための録画手段と、記録媒体に録画されたコンテンツ情報を再生するための再生手段と、録画手段又は再生手段の動作停止が操作されたことを検知する検知手段と、検知手段が動作停止の操作を検知したことに応答して所定の確認画面を表示する表示手段と、検知手段が動作停止の操作を検知してから所定時間内に任意のキーが操作されたことを検知手段が検知したか否か判別する判別手段と、判別手段が検知ありと判別したことに基づいて録画又は再生動作を停止したコンテンツ情報を記録媒体から消去する消去手段とを備えていることを特徴とする録画再生装置。
【請求項３】
コンテンツ情報を記録媒体に録画するための録画手段と、記録媒体に録画されたコンテンツ情報を再生するための再生手段と、録画手段又は再生手段が動作開始した記録位置情報を記憶する記憶手段と、録画手段又は再生手段の動作停止が操作されたことを検知する検知手段と、検知手段が動作停止の操作を検知してから所定時間内に所定のキーが操作されたことを検知手段が検知したか否か判別する判別手段と、判別手段が検知ありと判別したことに基づいて記録媒体が前記記録位置情報に対応する動作位置に設定されるように制御する位置制御手段とを備えていることを特徴とする録画再生装置。
【請求項４】
コンテンツ情報を記録媒体に録画するための録画手段と、記録媒体に録画されたコンテンツ情報を再生するための再生手段と、録画手段又は再生手段が動作開始した記録位置情報を記憶する記憶手段と、録画手段又は再生手段の動作停止が操作されたことを検知する検知手段と、検知手段が動作停止の操作を検知したことに応答して所定の確認画面を表示する表示手段と、検知手段が動作停止の操作を検知してから所定時間内に任意のキーが操作されたことを検知手段が検知したか否か判別する判別手段と、判別手段が検知ありと判別したことに基づいて記録媒体が前記記録位置情報に対応する動作位置に設定されるように制御する位置制御手段とを備えていることを特徴とする録画再生装置。
【請求項５】
前記検知手段は、所定のキーとして特定の組合せの複数のキーが操作されたことを検知することを特徴とする請求項１又は３に記載の録画再生装置。
【請求項６】
前記判別手段は、録画手段又は再生手段が動作開始してから所定の動作時間内に検知手段が動作停止を検知した場合に判別処理を行うことを特徴とする請求項１から５のいずれかに記載の録画再生装置。
【発明の詳細な説明】
【０００１】
【発明の属する技術分野】
本発明は、ＶＣＲ（「Ｖｉｄｅｏ  Ｃａｓｓｅｔｔｅ  Ｒｅｃｏｒｄｅｒ」の略称）、ＤＶＤ（「Ｄｉｇｉｔａｌ  Ｖｅｒｓａｔｉｌｅ  Ｄｉｓｋ」の略称でその記録・再生装置も含む）、ＨＤＤ（「Ｈａｒｄ  Ｄｉｓｋ  Ｄｒｉｖｅ」の略称）等の録画再生装置又はこれらを複合一体化した録画再生装置に関する。
【０００２】
【従来の技術】
ＶＣＲ、ＤＶＤ、ＨＤＤ等の録画再生装置は近年大容量化が進んできており、番組等のコンテンツ情報を記録容量を気にすることなく録画しておくことが可能で後でまとめて再生して視聴することができるようになっている。しかしながら、予約録画等で設定ミスにより予約と異なる番組を録画してしまったり、録画を開始した後番組内容が異なっていたため途中で停止した場合等で、不要なコンテンツ情報が記録媒体に蓄積されてしまうことがある。ＤＶＤやＨＤＤのようにデジタル録画再生装置の場合、予約録画で設定ミスをして録画が開始された場合にも自動的にファイルが作成され、設定を修正して録画を再開しても別のファイルが新たに作成されるため、設定ミスにより作成されたファイルは消去されずに記録媒体に蓄積されたままとなる。また、録画した内容を再生して視聴した後再度視聴しない番組も記録媒体に蓄積されたままとなってしまう。したがって、こうした不要となったコンテンツ情報を随時消去していかないと、記録媒体にいずれ空き容量がなくなり、新たな番組が録画できなくなる。記録媒体に空き容量がなくなってから不要なコンテンツ情報を消去する場合、大容量の記録媒体には多数のコンテンツ情報が蓄積されているため、１つ１つコンテンツ情報をチェックしていくことは、非常に面倒な作業となる。デジタル録画再生装置では、記録媒体に蓄積可能なファイル数に上限があるため、ファイル数を減らさないと新たなファイルを録画できなくなる。したがって、蓄積されたファイルのリストを画面表示して削除していくことが必要になるが、非常に時間と手間のかかる作業となる。
【０００３】
こうした問題に対処するために、特許文献１では、ＶＴＲ（Ｖｉｄｅｏ  Ｔａｐｅ  Ｒｅｃｏｒｄｅｒ）において、テープの記憶領域を時間的に等分に分割して設定し、それぞれの分割領域に対応したカウンタの値とその録画番組が必要か不要かを識別するデータを記憶され、必要に応じて不要を示す識別データを入力できるようにしておく点が記載されており、一度に不要な番組を消去することができ、不要な録画番組が記憶された領域に自動的に新たな番組を録画することも可能となる。また、特許文献２には、メモリ内に記憶された予約情報の量が所定量に達したと判定されたときに実施予定時点から所定期間経過した予約情報のうち古い予約情報より順に消去する点が記載されている。また、特許文献３には、仮想チャンネルのスケジュール表を表示するようにし、このスケジュール表の「過去」に「削除予定」及び「視聴済み」のコンテンツを配置し「未来」に「再生可能」のコンテンツを配置して、新たなコンテンツが録画される場合に「過去」に配置されたコンテンツから必要に応じて削除されていく点が記載されている。
【０００４】
【特許文献１】
特開平９−９１９２７号公報
【特許文献２】
特開２００１−６０３４６号公報
【特許文献３】
特開２００２−４４５８４号公報
【０００５】
【発明が解決しようとする課題】
上述した先行文献のように、装置側で録画日時や予約情報といった時間的な経過に基づいて自動的にコンテンツ情報を順次消去していく場合、必要なコンテンツ情報まで消去してしまうことが避けられず、また、設定ミスによるコンテンツ情報が所定時間経過するまで消去されない−といった欠点がある。必要か不要かの識別データを入力する場合についてもそのための記憶領域を別途設定し新たな処理を行うためのソフトウェアも必要になる。
【０００６】
そこで、本発明は、録画又は再生中に不要と判断した時点でそのコンテンツ情報を簡単な操作で消去又は消去のための制御を行うことで、不要なコンテンツ情報をできるだけ記録媒体に蓄積せずに記録媒体のメモリ容量を無駄にすることがなく、記録媒体を効率よく利用できる録画再生装置を提供することを目的とするものである。
【０００７】
【課題を解決するための手段】
本発明に係る録画再生装置は、コンテンツ情報を記録媒体に録画するための録画手段と、記録媒体に録画されたコンテンツ情報を再生するための再生手段と、録画手段又は再生手段の動作停止が操作されたことを検知する検知手段と、検知手段が動作停止の操作を検知してから所定時間内に所定のキーが操作されたことを検知手段が検知したか否か判別する判別手段と、判別手段が検知ありと判別したことに基づいて録画又は再生動作を停止したコンテンツ情報を記録媒体から消去する消去手段とを備えていることを特徴とする。
【０００８】
本発明に係る別の録画再生装置は、コンテンツ情報を記録媒体に録画するための録画手段と、記録媒体に録画されたコンテンツ情報を再生するための再生手段と、録画手段又は再生手段の動作停止が操作されたことを検知する検知手段と、検知手段が動作停止の操作を検知したことに応答して所定の確認画面を表示する表示手段と、検知手段が動作停止の操作を検知してから所定時間内に任意のキーが操作されたことを検知手段が検知したか否か判別する判別手段と、判別手段が検知ありと判別したことに基づいて録画又は再生動作を停止したコンテンツ情報を記録媒体から消去する消去手段とを備えていることを特徴とする。
【０００９】
本発明に係るさらに別の録画再生装置は、コンテンツ情報を記録媒体に録画するための録画手段と、記録媒体に録画されたコンテンツ情報を再生するための再生手段と、録画手段又は再生手段が動作開始した記録位置情報を記憶する記憶手段と、録画手段又は再生手段の動作停止が操作されたことを検知する検知手段と、検知手段が動作停止の操作を検知してから所定時間内に所定のキーが操作されたことを検知手段が検知したか否か判別する判別手段と、判別手段が検知ありと判別したことに基づいて記録媒体が前記記録位置情報に対応する動作位置に設定されるように制御する位置制御手段とを備えていることを特徴とする。
【００１０】
本発明に係るさらに別の録画再生装置は、コンテンツ情報を記録媒体に録画するための録画手段と、記録媒体に録画されたコンテンツ情報を再生するための再生手段と、録画手段又は再生手段が動作開始した記録位置情報を記憶する記憶手段と、録画手段又は再生手段の動作停止が操作されたことを検知する検知手段と、検知手段が動作停止の操作を検知したことに応答して所定の確認画面を表示する表示手段と、検知手段が動作停止の操作を検知してから所定時間内に任意のキーが操作されたことを検知手段が検知したか否か判別する判別手段と、判別手段が検知ありと判別したことに基づいて記録媒体が前記記録位置情報に対応する動作位置に設定されるように制御する位置制御手段とを備えていることを特徴とする。
【００１１】
上記の録画再生装置において、前記検知手段は、所定のキーとして特定の組合せの複数のキーが操作されたことを検知することを特徴とする。さらに、前記判別手段は、録画手段又は再生手段が動作開始してから所定の動作時間内に検知手段が動作停止を検知した場合に判別処理を行うことを特徴とする。
【００１２】
上記のような構成を有することで、録画又は再生の動作を停止してから所定時間内に所定キーが操作されたことを検知すると、その録画又は再生の動作を停止したコンテンツ情報を消去することができ、不要と判断した時点で非常に簡単な操作だけで記録媒体から不要なコンテンツ情報が消去され、記録媒体を効率よく利用することが可能となる。また、録画又は再生の動作停止が操作されたことを検知すると、そのつど確認画面を表示して消去の判断を促し、所定時間内に任意のキーが操作されたことを検知すると、その録画又は再生の動作を停止したコンテンツ情報を消去することができる。したがって、常時コンテンツ情報の消去について操作者の注意を喚起し、不要なコンテンツ情報をできるだけ蓄積しておかないようにしておくことができ、また非常に簡単な操作で不要なコンテンツ情報の消去処理が可能となる。
【００１３】
同様に、録画又は再生を開始した記録位置情報を記憶しておき、その録画又は再生の動作を停止してから所定時間内に所定のキーが操作されたことを検知すると、記憶された記録位置情報に対応した動作位置に記録媒体を設定するように位置制御でき、記録媒体に記録された不要なコンテンツ情報の記録位置情報に合わせて新たなコンテンツ情報を録画することが簡単に行うことができる。例えば、ＶＣＲの場合に、録画又は再生を開始した記録位置情報を記憶しておけば、上記の所定キーの操作により自動的にその位置にテープが巻き戻されて設定されるので、次に録画を開始すると、新たなコンテンツ情報が不要なコンテンツ情報に上書きされて、テープには不要なコンテンツ情報が蓄積されることが少なくなり、効率よく利用することが可能となる。また、録画又は再生を開始した記録位置情報を記憶しておき、その録画又は再生の動作停止が操作されたことを検知すると、そのつど確認画面を表示して消去の判断を促し、所定時間内に任意のキーが操作されたことを検知すると、記憶された記録位置情報に対応した動作位置に記録媒体を設定するように位置制御でき、上述したように不要なコンテンツ情報の記録位置情報に対応して新たなコンテンツ情報が録画可能となり、また、常時コンテンツ情報の消去について操作者の注意を喚起できる。
【００１４】
また、録画又は再生を開始してから所定の動作時間内に動作停止の操作されたことを検知した場合に上記のような消去又は位置制御を行うことで、操作者が不要と判断する可能性の高いタイミングに合わせてこうした消去又は位置制御を行うようにすることができる。例えば、録画又は再生を開始してコンテンツ情報の最初の段階で不要と判断する場合が想定されれば、所定の動作時間を短く設定しておけば、ある程度長い時間録画又は再生された場合には、確認画面が表示されるようなことはなくなる。また、所定のキーを特定の組合せの複数のキーとすることで、操作者が誤って必要なコンテンツ情報を消去することを防止することができる。
【００１５】
【発明の実施の形態】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１６】
図１は、本発明に係る実施形態の全体ブロック図である。この例では、機能ブロックとしてＴＶ及びＶＣＲのブロック１並びにＨＤＤのブロック２を複合一体化した録画再生装置を示している。
【００１７】
装置全体に関する制御、ＴＶの表示制御及びＶＣＲの録画再生制御に関する情報処理は、ＴＶ及びＶＣＲの機能ブロック１内の本体ＣＰＵ１０が行うようになっており、チューナ１１は、外部からのテレビジョン放送信号を受信し、チューナ１１からの出力信号は、クロマ信号処理回路１３で処理されてモニタ１２に送信されて表示制御される。また、ビデオカセット３０に記録された情報は、記録ヘッド３１により読み取られてクロマ信号処理回路１３で処理されて、テレビジョン放送信号と同様にモニタ１２に表示される。テレビジョン放送番組を録画する場合には、チューナ１１から入力されたテレビジョン放送信号がクロマ信号処理回路１３で処理されて、記録ヘッド３１によりビデオカセット３０に記録される。
【００１８】
本体ＣＰＵ１０には、受信部１４が接続されており、リモートコントローラ１５で操作者が操作したキーに対応した信号が受信部１４に入力されると、本体ＣＰＵ１０に送信されて処理される。後述するように、本体ＣＰＵ１０は、録画又は再生停止後にリモートコントローラ１５で停止キーが操作されると、その入力を検知して消去処理又はテープの位置制御を行う。
【００１９】
一方、ＨＤＤブロック２は、録画再生制御に関する情報処理を行うＣＰＵ２０を有している。そして、図示しない回転制御装置により回転する磁気ディスク２１からピックアップ２２により記録された情報が読み取られ、ＭＰＥＧデコーダ２３により復号化される。復号化された情報はデジタル情報であるため、ビデオエンコーダ２４によりアナログ化されてクロマ信号処理回路１３に送信され、モニタ１２に表示制御される。また、テレビジョン番組を録画する場合には、チューナ１１にＨＤＤブロック２のビデオデコーダ２５を接続して、チューナ１１で受信されたアナログ信号をデジタル信号に変換した後ＭＰＥＧエンコーダ２６で圧縮し、その圧縮信号をピックアップ２２により磁気ディスク２１に記録処理する。
【００２０】
次に、録画又は再生の際の処理フローについて説明する。以下に説明する処理フローは本体ＣＰＵ１０において処理される。図２は、ＨＤＤブロック２において録画処理を行う際の処理フローの一例を示している。まず、予め不要ファイルの整理に関して設定をしておく。図７に示すように、メニュー画面に表示された「ファイル整理設定」の項目を選択すると、図８に示すファイル整理設定画面が表示される。この画面において、ファイル整理モードの設定又は解除を「オン」、「オフ」を選択することで決定する。モード選択では、「録画」、「再生」又は「両方」が選択可能であり、ファイル整理モードが設定される場合を録画処理又は再生処理のときのみに制限したり、どちらの処理でも設定されるようにすることができる。キー間隔時間の設定では、最初のキーを操作してからどの程度の時間内に次のキーが操作されたらファイル整理を行うか設定できる。この例では、１０秒以内としている。設定可能時間の設定では、録画開始からどの程度の時間が経過するまでファイル整理を設定するかを予め決めておくことができる。常時ファイル整理を行う場合には、入力しなくともよい。
【００２１】
以上の設定が完了した後に、図２に示すように録画が開始されると、本体ＣＰＵ１０は、録画処理（Ｓ１００）を行うとともにタイマー（Ｔ１）の動作を開始する（Ｓ１０１）。タイマー（Ｔ１）は、図８の「設定可能時間」で入力された時間内か否か判定するために動作する。そして、録画動作の停止操作の有無が検知され（Ｓ１０２）、停止キーがリモートコントローラ１５で操作されると、停止操作が検知されて録画動作が停止する（Ｓ１０３）。動作停止が検知されるとタイマー（Ｔ２）の動作を開始する（Ｓ１０４）。タイマー（Ｔ２）の動作開始後、この例では所定のキーとして停止キーの入力有無が検知されて（Ｓ１０５）、入力がない場合にはタイマー（Ｔ２）のカウントが図８で設定したキー間隔時間（ｔ２）を超えているか否かチェックされる（Ｓ１０６）。キー間隔時間（ｔ２）を超えていない場合には、Ｓ１０５に戻り、停止キーの入力有無が検知される。
【００２２】
その後停止キーの入力がないままタイマー（Ｔ２）のカウントがキー間隔時間（ｔ２）を超えると、タイマー（Ｔ２）の動作を停止して（Ｓ１０７）終了する。
【００２３】
タイマー（Ｔ２）のカウントがキー間隔時間（ｔ２）を超えるまでに停止キーの入力が検知されると、タイマー（Ｔ２）の動作を停止し（Ｓ１０８）、図８のファイル整理設定画面で設定したファイル整理が「オン」であるかチェックされ（Ｓ１０９）、オンでない場合には終了する。オンに設定されている場合には、モード選択が「録画」又は「両方」であるかチェックされ（Ｓ１１０）、そうでない場合には終了する。「録画」又は「両方」に設定されている場合には、タイマー（Ｔ１）のカウントが図８で設定した設定可能時間（ｔ１）内か否かチェックされ（Ｓ１１１）、そうでない場合はそのまま終了する。設定可能時間（ｔ１）内である場合には、現在録画しているファイルを消去処理して（Ｓ１１２）終了する。
【００２４】
図３は、ＨＤＤブロック２において再生処理を行う際の処理フローの一例を示している。再生処理が行われると（Ｓ２００）、図２と同様に動作停止の操作の有無が検知され（Ｓ２０１）、停止キーの入力が検知されると、再生動作を停止し（Ｓ２０２）、タイマー（Ｔ２）が動作を開始する（Ｓ２０３）。タイマー（Ｔ２）の動作開始後、所定のキーとして停止キーの入力有無が検知されて（Ｓ２０４）、入力がない場合にはタイマー（Ｔ２）のカウントがキー間隔時間（ｔ２）を超えているか否かチェックされる（Ｓ２０５）。キー間隔時間（ｔ２）を超えていない場合には、Ｓ２０４に戻り、停止キーの入力有無が検知される。
【００２５】
その後停止キーの入力がないままタイマー（Ｔ２）のカウントがキー間隔時間（ｔ２）を超えると、タイマー（Ｔ２）の動作を停止して（Ｓ２０６）終了する。
【００２６】
タイマー（Ｔ２）のカウントがキー間隔時間（ｔ２）を超えるまでに停止キーの入力が検知されると、タイマー（Ｔ２）の動作を停止し（Ｓ２０７）、ファイル整理が「オン」であるかチェックされ（Ｓ２０８）、オンでない場合には終了する。オンに設定されている場合には、モード選択が「再生」又は「両方」であるかチェックされ（Ｓ２０９）、そうでない場合には終了する。「再生」又は「両方」に設定されている場合には、現在再生しているファイルが消去禁止に設定されているか否かチェックされ（Ｓ２１０）、消去禁止に設定されている場合はそのまま終了する。消去禁止に設定されていない場合には、現在再生しているファイルを消去処理して（Ｓ２１１）終了する。
【００２７】
この例では、再生処理のため、設定可能時間（ｔ１）によるチェックは行っていない。これは、すべて視聴した後に再度視聴することはないと操作者が判断することが想定されるため、このような処理フローとしている。但し、録画の場合と同様に設定可能時間（ｔ１）によるチェックを行ってもかまわない。
【００２８】
次に、図４には、ＴＶ及びＶＣＲのブロック１において録画処理を行う際の処理フローの一例を示している。録画処理（Ｓ３００）と同時に録画開始位置（Ｄ１）がインデックスとして記憶処理され（Ｓ３０１）、タイマー（Ｔ１）が動作を開始する（Ｓ３０２）。そして、動作停止の操作の有無が検知され（Ｓ３０３）、停止キーの入力が検知されると、録画動作を停止し（Ｓ３０４）、タイマー（Ｔ２）が動作を開始する（Ｓ３０５）。タイマー（Ｔ２）の動作開始後、所定のキーとして停止キーの入力有無が検知されて（Ｓ３０６）、入力がない場合にはタイマー（Ｔ２）のカウントがキー間隔時間（ｔ２）を超えているか否かチェックされる（Ｓ３０７）。キー間隔時間（ｔ２）を超えていない場合には、Ｓ３０６に戻り、停止キーの入力有無が検知される。
【００２９】
その後停止キーの入力がないままタイマー（Ｔ２）のカウントがキー間隔時間（ｔ２）を超えると、タイマー（Ｔ２）の動作を停止して（Ｓ３０８）終了する。
【００３０】
タイマー（Ｔ２）のカウントがキー間隔時間（ｔ２）を超えるまでに停止キーの入力が検知されると、タイマー（Ｔ２）の動作を停止し（Ｓ３０９）、ファイル整理が「オン」であるかチェックされ（Ｓ３１０）、オンでない場合には終了する。オンに設定されている場合には、モード選択が「録画」又は「両方」であるかチェックされ（Ｓ３１１）、そうでない場合には終了する。「録画」又は「両方」に設定されている場合には、タイマー（Ｔ１）のカウントが設定可能時間（ｔ１）内か否かチェックされ（Ｓ３１２）、そうでない場合はそのまま終了する。設定可能時間（ｔ１）内である場合には、Ｓ３０１で記憶した録画開始位置（Ｄ１）までテープを巻き戻すように位置制御を行い（Ｓ３１３）終了する。
【００３１】
ＴＶ及びＶＣＲのブロック１において再生処理を行う場合は、図５に示すような処理フローとなる。再生処理が行われると（Ｓ４００）、図４と同様に再生開始位置（Ｄ１）がインデックスとして記憶処理される（Ｓ４０１）。そして、動作停止の操作の有無が検知され（Ｓ４０２）、停止キーの入力が検知されると、再生動作を停止し（Ｓ４０３）、タイマー（Ｔ２）が動作を開始する（Ｓ４０４）。タイマー（Ｔ２）の動作開始後、所定のキーとして停止キーの入力有無が検知されて（Ｓ４０５）、入力がない場合にはタイマー（Ｔ２）のカウントがキー間隔時間（ｔ２）を超えているか否かチェックされる（Ｓ４０６）。キー間隔時間（ｔ２）を超えていない場合には、Ｓ４０５に戻り、停止キーの入力有無が検知される。
【００３２】
その後停止キーの入力がないままタイマー（Ｔ２）のカウントがキー間隔時間（ｔ２）を超えると、タイマー（Ｔ２）の動作を停止して（Ｓ４０７）終了する。
【００３３】
タイマー（Ｔ２）のカウントがキー間隔時間（ｔ２）を超えるまでに停止キーの入力が検知されると、タイマー（Ｔ２）の動作を停止し（Ｓ４０８）、ファイル整理が「オン」であるかチェックされ（Ｓ４０９）、オンでない場合には終了する。オンに設定されている場合には、モード選択が「再生」又は「両方」であるかチェックされ（Ｓ４１０）、そうでない場合には終了する。「再生」又は「両方」に設定されている場合には、現在再生しているファイルが消去禁止に設定されているか否かチェックされ（Ｓ４１１）、消去禁止に設定されている場合はそのまま終了する。消去禁止に設定されていない場合には、Ｓ４０１で記憶した再生開始位置（Ｄ１）までテープを巻き戻すように位置制御を行い（Ｓ４１２）終了する。
【００３４】
図４及び図５の処理フローでは、録画又は再生を開始した位置をインデックスとして記憶しておき、その位置にテープを巻き戻すように制御することで、あらたな録画を行う場合に不要なコンテンツ情報が記録された位置から録画されるようになり、ビデオテープに不要なコンテンツ情報ができるだけ少なくなるようにすることができる。
【００３５】
図６は、ＨＤＤブロック２において録画処理を行う場合の別の処理フローを示している。録画が開始されると、録画処理（Ｓ５００）と同時にタイマー（Ｔ１）が動作を開始する（Ｓ５０１）。そして、動作停止の操作の有無が検知され（Ｓ５０２）、停止キーの入力が検知されると、録画動作が停止されるとともに（Ｓ５０３）、確認画面が表示されて（Ｓ５０４）タイマー（Ｔ２）が動作を開始する（Ｓ５０５）。ここで、確認画面の例として、図９に示すように、消去する場合には任意のキーを操作するように促すメッセージが表示される。その後、タイマー（Ｔ２）の動作開始後任意のキーが入力されたか否か検知されて（Ｓ５０６）、入力がない場合にはタイマー（Ｔ２）のカウントがキー間隔時間（ｔ２）を超えているか否かチェックされる（Ｓ５０７）。キー間隔時間（ｔ２）を超えていない場合には、Ｓ５０６に戻り、任意のキー入力の有無が検知される。
【００３６】
その後任意のキー入力がないままタイマー（Ｔ２）のカウントがキー間隔時間（ｔ２）を超えると、タイマー（Ｔ２）の動作を停止して（Ｓ５０８）終了する。
【００３７】
タイマー（Ｔ２）のカウントがキー間隔時間（ｔ２）を超えるまでに任意のキー入力が検知されると、タイマー（Ｔ２）の動作を停止し（Ｓ５０９）、ファイル整理が「オン」であるかチェックされ（Ｓ５１０）、オンでない場合には終了する。オンに設定されている場合には、モード選択が「録画」又は「両方」であるかチェックされ（Ｓ５１１）、そうでない場合には終了する。「録画」又は「両方」に設定されている場合には、タイマー（Ｔ１）のカウントが設定可能時間（ｔ１）内か否かチェックされ（Ｓ５１２）、そうでない場合はそのまま終了する。設定可能時間（ｔ１）内である場合には、現在録画しているファイルを消去処理して（Ｓ５１３）終了する。
【００３８】
図６に示す処理フローでは、停止キーの後に確認画面が表示されて任意のキー入力を促すようにしているので、操作がユーザーフレンドリィになっており、操作者の誤操作や消去忘れが減少する。同様の処理フローを図３から図５の処理フローにも用いることはできるが、説明が重複するため省略する。
【００３９】
以上の例では、所定のキーとして停止キーを用いており、消去処理を単純な操作で行えるようになっているが、誤操作しやすい場合には、停止キー以外のキーを所定キーとして使用してもよい。例えば図８の設定画面で所定キーを選択できるようにしてもよい。その場合に、停止キーと別のキーとの組合せといった複数のキーを選択することも可能である。また、キーを２回操作することで、ファイル整理を行うようにしているが、例えば、キーの多重押しといった別の操作を採用しても構わない。
【００４０】
また、上述した例では、ＴＶ及びＶＣＲの機能ブロックとＨＤＤの機能ブロックを複合一体化した録画再生装置について説明したが、ＶＣＲ単体又はＨＤＤ単体の録画再生装置でも同様に適用できる。
【００４１】
【発明の効果】
以上に説明したとおり、本発明では、録画又は再生の動作停止してから所定時間内に所定キーが操作されたことを検知すると、その録画又は再生の動作を停止したコンテンツ情報を消去することができ、不要と判断した時点で非常に簡単な操作だけで記録媒体から不要なコンテンツ情報が消去され、記録媒体を効率よく利用することが可能となる。また、録画又は再生の動作停止が操作されたことを検知すると、そのつど確認画面を表示して消去の判断を促し、所定時間内に任意のキーが操作されたことを検知すると、その録画又は再生の動作を停止したコンテンツ情報を消去することができる。したがって、常時コンテンツ情報の消去について操作者の注意を喚起し、不要なコンテンツ情報をできるだけ蓄積しておかないようにしておくことができ、また非常に簡単な操作で不要なコンテンツ情報の消去処理が可能となる。
【００４２】
同様に、録画又は再生を開始した記録位置情報を記憶しておき、その録画又は再生の動作停止してから所定時間内に所定のきーが操作されたことを検知すると、記憶された記録位置情報に対応した動作位置に記録媒体を設定するように位置制御でき、記録媒体に記録された不要なコンテンツ情報の記録位置情報に合わせて新たなコンテンツ情報を録画することが簡単に行うことができる。例えば、ＶＣＲの場合に、録画又は再生を開始した記録位置情報を記憶しておけば、上記の所定キーの操作により自動的にその位置にテープが巻き戻されて設定されるので、次に録画を開始すると、新たなコンテンツ情報が不要なコンテンツ情報に上書きされて、テープには不要なコンテンツ情報が蓄積されることが少なくなり、効率よく利用することが可能となる。また、録画又は再生を開始した記録位置情報を記憶しておき、その録画又は再生の動作停止が操作されたことを検知すると、そのつど確認画面を表示して消去の判断を促し、所定時間内に任意のキーが操作されたことを検知すると、記憶された記録位置情報に対応した動作位置に記録媒体を設定するように位置制御でき、上述したように不要なコンテンツ情報の記録位置情報に対応して新たなコンテンツ情報が録画可能となり、また、常時コンテンツ情報の消去について操作者の注意を喚起できる。
【００４３】
また、録画又は再生を開始してから所定の動作時間内に所定のキーが操作されたことを検知した場合に上記のような消去又は位置制御を行うことで、操作者が不要と判断する可能性の高いタイミングに合わせてこうした消去又は位置制御を行うようにすることができる。例えば、録画又は再生を開始してコンテンツ情報の最初の段階で不要と判断する場合が想定されれば、所定の動作時間を短く設定しておけば、ある程度長い時間録画又は再生された場合には、確認画面が表示されるようなことはなくなる。また、所定のキーを特定の組合せの複数のキーとすることで、操作者が誤って必要なコンテンツ情報を消去することを防止することができる。
【図面の簡単な説明】
【図１】本発明に係る実施形態の全体ブロックの概略図である。
【図２】本発明に係る実施形態の録画処理に関する処理フロー図である。
【図３】本発明に係る実施形態の再生処理に関する処理フロー図である。
【図４】本発明に係る実施形態の録画処理に関する別の処理フロー図である。
【図５】本発明に係る実施形態の再生処理に関する別の処理フロー図である。
【図６】本発明に係る実施形態の録画処理に関する別の処理フロー図である。
【図７】本発明に係る実施形態におけるメニュー画面に関する説明図である。
【図８】本発明に係る実施形態におけるファイル整理設定画面に関する説明図である。
【図９】図６における確認画面に関する説明図である。
【符号の説明】
１    ＴＶ及びＶＣＲ機能ブロック
２    ＨＤＤ機能ブロック
１０    本体ＣＰＵ
１１    チューナ
１２    モニタ
１３    クロマ信号処理回路
１４    受信部
１５    リモートコントローラ
２０    ＨＤＤ用ＣＰＵ
２１    磁気ディスク
２２    ピックアップ
２３    ＭＰＥＧデコーダ
２４    ビデオエンコーダ
２５    ビデオデコーダ
２６    ＭＰＥＧエンコーダ
３０    ビデオカセット
３１    記録ヘッド
【図１】
2004356882.tif 000003
【図２】
2004356882.tif 000004
【図３】
2004356882.tif 000005
【図４】
2004356882.tif 000006
【図５】
2004356882.tif 000007
【図６】
2004356882.tif 000008
【図７】
2004356882.tif 000009
【図８】
2004356882.tif 000010
【図９】
2004356882.tif 000011